(57)【特許請求の範囲】
【請求項１】
少なくとも１つの半径方向に変形可能な固定スリーブ（９）とこの固定スリーブ（９）を半径方向に変形させるための１つの締付けリング（１６）とを備え、
締付けリング（１６）が同軸に固定スリーブ（９）上へ正確にフィットして装着可能であるように、固定スリーブ（９）がプロフィル付けした外壁（４ａ，１１）を、締付けリング（１６）が反対にプロフィル付けした内壁（４ｂ，１７）を備え、
正確にフィットして装着された締付けリング（１６）を閉鎖方向（２２）に相対回転させた時に、固定スリーブ（９）が、表面プロフィル付け部（４ａ，４ｂ）によって半径方向内側へ変形可能であり、
締付けリング（１６）を閉鎖方向（２２）とは反対方向に相対回転させた時に、表面プロフィル付け部（４ａ，４ｂ）が回転を防止する、
シリンダ状の部品（２，３）を結合するための部品コネクタ（１）において、
突合せ継目の領域内で部品（２，３）を包囲する弾性スリーブ（５）が設けられ、固定スリーブ（９）が弾性スリーブ（５）を覆い、弾性スリーブ（５）が、突合せ継目の、従って部品（２，３）の固定及びシールをするために、固定スリーブ（９）の半径方向の変形によって固定スリーブ（９）の長手方向軸（１５）に対して垂直な方向に締め付け可能であること、及び、
固定スリーブ（９）の外壁（１１）が、２つの面領域（１１ａ，１１ｂ）を備え、これら面領域が、それぞれ両部品（２，３）の結合箇所から離れるように延在し、周方向に同じ向きの少なくとも２つの楔面（２５ａ）の形態の逆向きの表面プロフィル付け部（４ａ）を備え、
各面領域（１１ａ，１１ｂ）に１つの締付けリング（１６）が対応付けられ、この締付けリングの内壁（１７）が、周方向に同じ向きの少なくとも２つの楔面（２５ｂ）を備え、これら楔面は、固定スリーブ（９）の楔面（２５ａ）と同じ勾配を有するが、逆向きに配置され、
楔面（２５ａ，２５ｂ）が、固定スリーブ（９）上の締付けリング（１６）を閉鎖方向に回転させた時に、対応付けられた面領域（１１ａ，１１ｂ）に対して半径方向に圧力を増大させつつ互いに乗り上がり、得られた閉鎖位置が、楔面（２５ａ，２５ｂ）上に設けられた係止段（２６ａ，２６ｂ）によってロックされること、
を特徴とする部品コネクタ（１）。
【請求項２】
固定スリーブ（９）上の面領域（１１ａ，１１ｂ）が、固定スリーブ（９）の外壁（１１）に配置された環状のウェブによって互いに分離されていること、を特徴とする請求項１に記載の部品コネクタ（１）。
【請求項３】
面領域（１１ａ，１１ｂ）の逆向きのプロフィル付け部（４ａ）によって、それぞれの締付けリング（１６）が、反対向きの閉鎖方向を備えていること、を特徴とする請求項１又は２に記載の部品コネクタ（１）。
【請求項４】
表面プロフィル付け部（４ａ，４ｂ）が、数ｉの合同のセグメント（２０−ｉ，２１−ｉ）に分割され、各セグメント（２０−ｉ，２１−ｉ）が、３６０°／ｉの角度領域を包囲し、各セグメント（２０−ｉ，２１−ｉ）に、１つの楔面（２５ａ，２５ｂ）が付設されていること、を特徴とする請求項１〜３のいずれか１項に記載の部品コネクタ（１）。
【請求項５】
結合すべき部品（２，３）の端面を分離するために、環状のウェブ（７）が、弾性スリーブ（５）の内壁に（６）に配置されていること、を特徴とする請求項１〜４のいずれか１項に記載の部品コネクタ（１）。
【請求項６】
均等な半径方向の変形を容易化するために、固定スリーブ（９）の壁（１３）に、スリット（１４）が、固定スリーブ（９）の長手方向軸（１５）に対して平行に配置されていること、を特徴とする請求項１〜５のいずれか１項に記載の部品コネクタ（１）。
【請求項７】
締付けリング（１６）が、相対回転中に反力なく固定スリーブ（９）に装着可能であるように、表面プロフィル付け部（４ａ，４ｂ）が形成されていること、を特徴とする請求項１〜６のいずれか１項に記載の部品コネクタ（１）。
【請求項８】
固定スリーブ（９）と弾性スリーブ（５）が、１つの部品として製造されていること、を特徴とする請求項１〜７のいずれか１項に記載の部品コネクタ（１）。
【発明の詳細な説明】
【技術分野】
【０００１】
本発明は、シリンダ状の部品、特にチューブを結合するための部品コネクタに関する。
【背景技術】
【０００２】
従来技術から、部品コネクタもしくはチューブコネクタは既に公知である。これらコネクタは、例えば気体又は液体を案内することができる２つのチューブを固定結合するために使用されるので、気体又は液体は、結合されたチューブを経て流れることができる。
【０００３】
このため、独国実用新案第２９９  ０８  １７２号明細書（特許文献１）では、結合すべき２つの構造要素が、その端面によってつき合わされ、中心位置で固定される、長尺のチャネルを製造するための装置が設けられている。この場合、まず、端面が、接着剤によって隙間をシールするように結合される。接着剤としては、熱的影響によって硬化する接着剤が使用される。硬化後、結合箇所は、固定被覆によって均等に両側へ覆われ、これにより、構造要素は、軸方向及び半径方向に正確に互いに固定される。
【０００４】
更に、独国特許出願公開第２  １４５  ８３１号明細書（特許文献２）には、その端面によって互いに向かい合うようにセットされる熱可塑性のプラスチックから成る２つのチューブのためのチューブ結合装置が開示されている。このため、熱可塑性又は熱弾性のプラスチックベルトから成るスリーブが設けられ、このスリーブは、突合せ継目の領域内で、チューブ端部へ巻き付けられ、収縮力によってチューブに固定される。シールのため、更にシールリングが設けられ、このシールリングは、同様にスリーブによって保持及び固定される。
【０００５】
これら解決策における欠点は、結合部を再び開放することが非常に困難でしかないことである。一方で、例えば熱可塑性又は熱弾性のプラスチックから成る、固定される被覆は、費用をかけてしか除去可能でなく、他方で、端面上の硬化した接着剤は、結合された部品にも損傷を与えずに、容易に剥がすことはできない。
【０００６】
加えて、被覆は、外側から容易に接近可能であり、従って固定された状態で、しかしながらまた固定時にも損傷を受けることがある。この場合、被覆の損傷は、特に結合部の密封性と信頼性に影響を及ぼす。これにより、液体の流出又は気体の流出とチューブの位置ズレは、確実に防止可能ではない。従って、部品結合部の迅速な開閉と、同じ部品コネクタ又は部品の度重なる適用は、保証することができない。
【０００７】
米国特許第４，６３２，４３７号明細書（特許文献３）には、固定スリーブが設けられ、この固定スリーブ上に突出部が配置された、チューブコネクタが開示されている。この場合、突出部は、固定スリーブの一体化された構成要素であり、突出部上には、係止要素の形態の表面プロフィル付け部が配置されている。更に、シリンダ状の締付けリングが設けられ、この締付けリングは、突出部を有する固定スリーブを包囲し、その内壁が、同様に表面プロフィル付け部を備えるので、締付けリングは、同軸に固定スリーブの突出部上に正確にフィットして装着可能である。締付けリングの回転により、固定スリーブは、圧縮され、これにより、固定スリーブに配置された歯が、固定スリーブに配置された部品内に押し込まれ、部品が、これにより固定される。部品のシールは、部品とチューブコネクタの間に設けられた付加的なＯリングによって得られる。チューブコネクタには、両側にそれぞれ１つのこのような固定スリーブと１つのこのような締付けリングが配置されているので、２つの部品を互いに結合することができる。
【先行技術文献】
【特許文献】
【０００８】
【特許文献１】独国実用新案第２９９  ０８  １７２号明細書
【特許文献２】独国特許出願公開第２  １４５  ８３１号明細書
【特許文献３】米国特許第４，６３２，４３７号明細書
【発明の概要】
【発明が解決しようとする課題】
【０００９】
従って、本発明の課題は、少ない部品で、迅速かつ確実な結合とシール作用を可能にする、特にチューブを結合するための部品コネクタを提供することにある。
【課題を解決するための手段】
【００１０】
この課題は、請求項１の特徴によって解決される。従属請求項は、本発明の有利な発展形を再現する。
【００１１】
本発明による部品コネクタにより、部品結合は、結合すべきシリンダ状の部品、特に同じ直径を有するシリンダ状の部品の端面を互いに隣接するようにセットし、部品コネクタと部品の間の摩擦係合によりこの位置に保持することによって得られる。この場合、シリンダ状の部品は、互いに同列に位置するように配置されている。しかしながらまた、部品コネクタは、異なった直径を有する部品を互いに角度をつけて結合することができるように形成することもできる。
【００１２】
本発明によれば、部品コネクタは、突合せ継目の領域内で部品を包囲する弾性スリーブを備える。この場合、突合せ継目とは、シリンダ状の部品の互いに隣接するようにセットされた端面の結合箇所と理解する。弾性スリーブは、突合せ継目の確実な固定とシールが保証されるような大きさの部品の領域を覆う。
【００１３】
本発明によれば、更に、弾性スリーブを覆う固定スリーブが設けられている。固定スリーブは、特に半径方向、即ちその長手方向軸に対して垂直な方向に変形可能である。固定スリーブの内壁が弾性スリーブの外壁を押すので、固定スリーブの半径方向の変形により、その下に位置する弾性スリーブも締め付けられる。
【００１４】
弾性スリーブのこの締付けは、部品とその上に載置されている弾性スリーブの間に摩擦係合を生じさせる。これにより、所定の締付け以降に弾性スリーブは、部品内を案内される流体が、突合せ継目を経て、次に部品と弾性スリーブの間を経て周囲に漏れることができないように強く部品に押し付けられるので、部品は、一方で固定され、他方でシールされる。
【００１５】
固定スリーブを半径方向に締め付けるために、少なくとも１つの締付けリングが設けられている。この締付けリングは、同様にシリンダ状に形成され、長手方向軸方向に固定スリーブ上へ装着可能である。
【００１６】
本発明によれば、締付けリングはその内壁に、固定スリーブはその外壁に、表面プロフィル付け部を備える。この場合、固定スリーブの表面プロフィル付け部は、締付けリングの表面プロフィル付け部と同様であり、所定の互いの相対回転中に、締付けリングのプロフィル形成された内壁が、固定スリーブのプロフィル形成された外壁と、特に周囲全体で接触するように形成されている、即ち、締付けリングは、正確にフィットして固定スリーブ上へ装着することができる。
【００１７】
本発明によれば、表面プロフィル付け部は、更に、装着された締付けリングの固定スリーブに対して相対的な回転が、以下のことを生じさせるように形成されている：
・締付けリングを閉鎖方向に回転させた時に、締付けリングのプロフィル形成された内壁が、固定スリーブのプロフィル形成された外壁を半径方向内側へ押すことが生じさせられる。これは、特に半径の増加又は減少によって、即ち締付けリングの内壁及び固定スリーブの外壁のそれぞれ少なくとも１つの楔面によって得られる。
・閉鎖方向とは反対方向への締付けリングの回転は、表面プロフィル付け部によって防止され、締付けリングは、この回転方向にブロックされる。特に、それは、内壁と外壁の楔面上の係止段プロフィルによって達成可能であり、閉鎖方向とは反対方向への回転時にだけ係止段の端面が相互にブロックされるように、係止段が延在する。
【００１８】
即ち、部品は、締付けリングの閉鎖方向への回転によって固定可能であるが、それは、この場合、固定スリーブが変形され、従って弾性スリーブが部品に押し付けられるからである。係止段により、締付けリングは、閉鎖位置に達した時にロックされ、従って、部品が固定される。固定を解除するために、当初の相対回転が再び得られ、プロフィル付けした両壁が、周囲全体で正確にフィットして重なり合うまで、閉鎖方向に“過回転”される。しかしながらまた、固定は、締付けリングが固定スリーブの締付け状態で固定スリーブの軸方向に引き抜かれ、これにより固定スリーブがその無変形状態に戻ることによっても解除可能である。
【００１９】
これから、複数の利点が得られる：
・本発明による部品コネクタの構成により、部品が開放された部品コネクタ内に容易に差し込むことができるので、迅速な組立が可能である。特に、異なった部品形状もシリンダ状の終端部材と結合することができ、これによりコネクタは、非常に可変に使用可能である。
【００２０】
更に、締付けリングの回転は、弾性スリーブによる閉鎖維持に同時に位置調整される非常に迅速で簡単な部品の固定を可能にする。シールをするための接着剤又は熱処理は必要ない。また、結合は、非常に簡単に再び解除可能であり、この場合、部品コネクタと部品は、損傷を受けず、これにより、労力及びコストは、両構成要素が再使用可能であるので、低く保たれる。
【００２１】
更に、弾性スリーブは、従ってコネクタのシール部分は、固定スリーブと締付けリングによって外からの損傷を受けないように保護されている。外から作用する力は、常に最初に強靭な構成要素に損傷を与え、これにより、確実な固定及びシールが保証される。加えて、個々の部分に損傷が与えられた場合、部品コネクタ全体を交換する必要はなく、むしろ、例えば弾性スリーブに損傷が与えられた場合は、この弾性スリーブしか交換する必要がない。これにより、材料コストが節約される。
【００２２】
本発明を、以下で実施例に基づいて詳細に説明する。
【図面の簡単な説明】
【００２３】
【図１】本発明による部品コネクタによって結合された２つのチューブ
【図２】部品コネクタの弾性スリーブの斜視図
【図３】部品コネクタの固定スリーブの斜視図
【図４】図３の矢印Ａ及びＢ方向に見た固定スリーブの正面図
【図４ａ】図４の詳細Ｃの拡大図
【図５】部品コネクタの固定スリーブの側面図
【図６】部品コネクタの締付けリングの正面図
【図６ａ】図６の詳細Ｄの拡大図
【図７】部品コネクタの締付けリングの側面図
【図８】組み立てた状態の本発明による部品コネクタの斜視図
【図９】組み立てた状態の本発明による部品コネクタの正面図
【図９ａ】図９の詳細Ｅの拡大図
【発明を実施するための形態】
【００２４】
図１は、２つのチューブ２及び３を結合する部品コネクタ１の斜視図を示す。部品コネクタ１の個々の構成要素を、以下で図２〜７に基づいて詳細に説明する。
【００２５】
図２は、部品コネクタ１の内部部分を構成する弾性スリーブ５を示す。弾性スリーブ５は、中空シリンダ形状を備え、スリーブ５の内壁６は、組立て状態で、結合すべきチューブ２，３に当接する。特に、弾性スリーブ５は、プラスチック又はエラストマーから成り、これにより、弾性スリーブ５は変形可能である。
【００２６】
弾性スリーブ５の内壁６に、ほぼ中心に配置された環状のウェブ７が設けられている。チューブ２，３内を案内される流体がウェブ７によってその流れを妨害されないように、ウェブ７の高さは、結合すべきチューブ２，３の壁の厚さにほぼ一致する。ウェブ７は、弾性スリーブ５の一部とすることが、しかしながらまた弾性スリーブ５の内壁６に貼り着けることもできる。環状のウェブ７は、特にガラスチューブを結合するときに、その端面が互いに隣接することを防止すべきであるが、それは、これにより、ガラスチューブが互いに移動した時に、意図しない端面の損傷を生じさせることがあるからである。更に、ウェブ７によってチューブ２，３の端面もシールされ、これは、シールを全体的に改善する。
【００２７】
図３〜５は、部品コネクタ１の固定スリーブ９を示す。弾性スリーブ５と同様に、固定スリーブ９は、中空シリンダとして形成され、その平滑な内壁１０は、弾性スリーブ５の外壁８に正確にフィットして装着することができ、両スリーブ５，９は、その長手方向軸１５の方向に同じ長さである。この場合、固定スリーブ９と弾性スリーブ５を例えば射出成型法で１つの部材として製造することもできる。
【００２８】
固定スリーブ９の外壁１１に、環状のウェブ１２が配置され、このウェブは、外壁１１を同じ大きさの２つの面領域１１ａ，１１ｂに区分する。更に、この実施形態では、固定スリーブ９の壁１３に複数の軸方向のスリット１４が設けられ、これらスリットは、固定スリーブ９の両端面から出発して固定スリーブ９の長手方向軸１５に対して平行に交互に延在する。これらスリット１４により、固定スリーブ９の壁１３は、長手方向軸１５に対して垂直に、即ち半径方向内側へ変形可能である。この場合、スリット１４は、端面から出発してウェブ１２を超えるまで延在するので、ウェブは、スリット１４の領域で切り欠かれ、これにより固定スリーブ９は、ウェブ１２の領域内で半径方向に変形可能になる。これにより特に、固定スリーブ９の均等な半径方向の変形能力が保証される。
【００２９】
本発明によれば、図３〜５による固定スリーブ９の外壁１１の面領域１１ａ，１１ｂは、表面プロフィル付け部４ａを備え、これは、特に図４及び４ａによる正面図において明確に見られる。
【００３０】
この場合、表面プロフィル付け部４ａは、４つの合同のセグメント２０−ｉ（ｉ＝１，２，３，４）に分割され、これらセグメントは、それぞれα＝９０°の角度領域を包囲する。１つのセグメント２０−ｉは、点Ａ１−ｉにおいて外壁１１の初期半径ｒ１で始まる。次に、外壁１１の半径は、９０°の角度領域内で均等に点Ｂ１−１の最終半径ｒ２へ増加し、これにより楔面２５ａが構成される。付加的に、外壁１１には点Ａ１−ｉとＢ１−ｉの間に均等な間隔で複数の係止段２６ａが配置され、これら係止段２６ａは、急勾配の立上り部２７ａと緩勾配の立上り部２８ａを備える。点Ｂ１−ｉで、外壁１１は、大きい段２３−ｉにおいて再び初期半径ｒ１に減少し、次のセグメントｉ＋１が始まる。選択的に、４つより少ない又は多いセグメントを設けることもでき、これにより、セグメントの角度領域αは、３６０°をセグメントの数ｉで割ったものに変わる。
【００３１】
更に図３及び５で見られるように、面領域１１ａ，１１ｂは、逆向きにプロフィル付けされている。第１の面領域１１ａ内で係止段２６ａを有する楔面２５ａは一方の周方向に増加するが、第２の面領域１１ｂ内では同じ周方向に減少する。
【００３２】
部品コネクタ１の別の部分が、図６及び７に示されている。これらの図は、締付けリング１６を正面図と側面図で図示する。締付けリング１６は、部品コネクタ１の他の全ての部分と同様に、中空シリンダ状に形成されている。部品コネクタ１のために、これら締付けリングの２つが設けられている。
【００３３】
図６及び６ａでは、締付けリング１６の内壁１７がプロフィル付け部４ｂを備えることが見られる：
・４つのセグメント２１−ｉ（ｉ＝１，２，３，４）内で、内壁１７に、均等な間隔で急勾配の立上り部２７ｂと緩勾配の立上り部２８ｂを有する係止段２６ｂが配置されている。同時に、図６及び６ａによる内壁１７の半径ｒ３は、セグメント内で点Ａ２−ｉと点Ｂ２−ｉの間で減少し、これにより楔面２５ｂが構成される。この場合、締付けリング１６の楔面２５ｂの勾配の値は、固定スリーブ９の楔面２５ａの勾配の値と等しい。次に、半径は、段２４−ｉ内で再びその初期高さへ増加し、次のセグメントが始まる。
【００３４】
更に、この実施形態では、図６及び７による締付けリング１６には、複数のグリップ手段１９が、その外壁に配置されている。これらグリップ手段は、手袋により操作する場合又は手又は締付けリングが湿っている場合のような特別な条件下でも確実なグリップ及び回転を保証する。加えて、締付けリング１６の回転が容易化され、回転のために大きい力を締付けリング１６に伝達することができる。締付けリング１６の外壁１８上の矢印２２は、その閉鎖方向を示す。
【００３５】
図８及び９は、弾性スリーブ５、固定スリーブ９及び２つの締付けリング１６から成る部品コネクタ１を、組み立てた状態で斜視図及び正面図で示す。両締付けリング１６は、両側から、１つの部品を構成するように弾性スリーブ５と結合された固定スリーブ９上に装着される。この場合、締付けリング１６の閉鎖方向は、逆向きである。
【００３６】
従って、両締付けリング１６の装着時には、それぞれの締付けリング１６のプロフィル付けした内壁１７が、固定スリーブ９のそれぞれ逆向きにプロフィル付けした面領域１１ａ，１１ｂ上に正確にフィットして装着されるように、注意すべきである。これは、段２３−ｉ及び２４−ｉの端面が接触し、更に、固定スリーブ９の楔面２５ａと締付けリング１６の楔面２５ｂが同じ回転方向に増加するように、締付けリング１６が固定スリーブ９上に位置するように、それぞれの締付けリング１６が固定スリーブ９の面領域１１ａ，１１ｂに対して相対的に回転される場合がそうである。図９ａに示したように、この状態で、点Ａ２−ｉが点Ｂ１−ｉと、同時に点Ａ１−ｉが点Ｂ２−ｉと一致し、緩勾配の立上り部２８ａ，２８ｂが周囲全体で重なり合っている。
【００３７】
部品コネクタ１を利用するため、図１に示したように、両チューブ２及び３は、両側から、チューブ２，３の端面が弾性スリーブ５内のウェブ７に接触するまで、組み立てられた部品コネクタ１内に差し込まれる。次に、締付けリング１６がそのそれぞれの閉鎖方向に回転される。面領域１１ａ，１１ｂの逆向きのプロフィル付け部により、締付けリング１６の閉鎖方向は、同様に逆向きである。従って、両締付けリング１６は、部品コネクタ１を閉鎖するために、図８で矢印２２によって示したように反対方向に回転させなければならない。
【００３８】
この場合、それぞれの締付けリング１６の回転によって固定スリーブ９が半径方向内側へ、即ち長手方向軸１５の方向に対して垂直に変形され、これにより弾性スリーブ５が締め付けられ、チューブ２，３に押し付けられる回転方向を、閉鎖方向と呼ぶ。締付けリング１６のプロフィル付けした内壁１７が固定スリーブ９のプロフィル付けした外壁１１を押すように、締付けリング１６が固定スリーブ９上で回転された時に、固定スリーブ９の変形が生じる。プロフィル付けした壁１１，１７が互いに向かって回転されることにより、常に小さくなる半径を有する締付けリング１６の内壁１７上の楔面２５ｂは、その半径が同時に常に大きくなる固定スリーブ９の外壁１１の楔面２５ａに接触する。締付けリング１６は半径方向外側へ変形可能でないので、その結果、半径方向内側に向いた固定スリーブ９の変形が生じることになる。
【００３９】
固定スリーブ９の外壁１１上の係止段２６ａの急こう配の立上り部２７ａが締付けリング１６の内壁１７上の係止段２６ｂの急こう配の立上り部２７ｂを押し、これにより、表面プロフィル付け部４ａ，４ｂに同時に損傷を与えることになる非常に高い反力をもってしか回転が可能でないので、表面プロフィル付け部４ａ，４ｂ内の係止段２６ａ，２６ｂに基づいて、閉鎖方向とは反対方向の回転がブロックされる。これにより、同時に、固定及びシールされた状態での意図しない自動的な解除が防止される。部品コネクタ１の意図した解除は、締付けリング１６の“過回転”によって得られる。この場合、締付けリング１６は、初期状態が再び得られ、従って弾性スリーブがもはやチューブ２，３に押し付けられなくなるまで、従って、チューブ２，３がもはや固定及びシールされず、部品コネクタ１から取り外すことができるようになるまで、閉鎖方向に更に回転される。更に、固定は、締付けリング１６が、固定スリーブ９を締め付けた状態で固定スリーブ９の長手方向軸１５の方向に引き抜かれることによっても解除することができる。これにより、固定スリーブ９の変形が除去され、弾性スリーブ５が、もはやチューブ２，３に押し付けられない。
【符号の説明】
【００４０】
１              部品コネクタ
５              弾性スリーブ
６          弾性スリーブの内壁
７          弾性スリーブのウェブ
８          弾性スリーブの外壁
９          固定スリーブ
４ａ        固定スリーブのプロフィル付け部
１０        内壁
１１        外壁
１１ａ      面領域
１１ｂ      面領域
１２        ウェブ
１３        壁
１４        スリット
２０−ｉ    セグメント（ｉ＝１，２，３，４）
２３−ｉ    段（ｉ＝１，２，３，４）
２５ａ      楔面
２６ａ      係止段
２７ａ      急勾配の立上り部
２８ａ      緩勾配の立上り部
１６            締付けリング
４ｂ        プロフィル付け部
１７        内壁
１８        外壁
１９        グリップ手段
２１−ｉ    セグメント（ｉ＝１，２，３，４）
２４−ｉ    段（ｉ＝１，２，３，４）
２５ｂ      楔面
２６ｂ      係止段
２７ｂ      急勾配の立上り部
２８ｂ      緩勾配の立上り部
１５            長手方向軸
２              チューブ
３              チューブ
【図１】
0006049150.tif 000002
【図２】
0006049150.tif 000003
【図３】
0006049150.tif 000004
【図４】
0006049150.tif 000005
【図４ａ】
0006049150.tif 000006
【図５】
0006049150.tif 000007
【図６】
0006049150.tif 000008
【図６ａ】
0006049150.tif 000009
【図７】
0006049150.tif 000010
【図８】
0006049150.tif 000011
【図９】
0006049150.tif 000012
【図９ａ】
0006049150.tif 000013